(57)【要約】【課題】グループで利用する際等にテーブル上の表示領域を最大限に活用することのできる画像表示制御テーブルを提供する。【解決手段】まず、利用者が画像表示制御テーブル１２に着席して、ＩＤカードリーダ４６に自分のＩＤカードを挿入する。すると、画像表示制御テーブル１２で利用者のＩＤが認識され（ステップＳ１０）、演算部５０によりこの画像表示制御テーブル１２を利用する利用者の人数が計算される（ステップＳ１２）。そして、タッチパネル３０上に人数分の専有領域７０が設けられ、この専有領域７０が各利用者に割り当てられる（ステップＳ１４）。ここで、各専有領域はその面積が均等になるように設けられることが好ましい。【選択図】      図５
2005346354.tif 000002
【特許請求の範囲】
【請求項１】
テーブルの表面に設けられ、画像を表示する画像表示手段と、
前記画像表示手段に利用者の人数分の表示領域を設け、前記表示領域を各利用者に割り当てる領域割当手段と、
前記表示領域における画像の表示を制御する制御手段と、
を備えることを特徴とする画像表示制御テーブル。
【請求項２】
前記利用者の人数を検知する人数検知手段を更に備え、
前記領域割当手段は、前記検知された利用者の人数に基づいて、前記画像表示手段に設ける前記表示領域の数を決めることを特徴とする請求項１記載の画像表示制御テーブル。
【請求項３】
前記画像表示手段がタッチパネルであり、
前記タッチパネルに加えられる圧力を検知する圧力検知手段を更に備え、
前記制御手段は、前記タッチパネルに圧力が加えられた場合に、前記検知された圧力に基づいて、前記タッチパネルに加えられた圧力が前記利用者によるタッチ操作によるものか否かを判別することを特徴とする請求項１又は２記載の画像表示制御テーブル。
【請求項４】
前記画像表示手段がタッチパネルであり、
前記タッチパネル上の圧力の加わっている圧力点の位置を検知する位置検知手段と、
前記テーブルに商品が置かれたときに前記商品の位置を検知する商品検知手段とを更に備え、
前記制御手段は、前記タッチパネルに圧力が加えられた場合に、前記圧力点の位置と前記商品の位置とに基づいて、前記利用者によるタッチ操作と前記タッチパネル上への商品の設置とを判別することを特徴とする請求項１又は２記載の画像表示制御テーブル。
【請求項５】
前記商品の容器には、前記商品の識別情報が書き込まれたＩＣタグが取り付けられており、前記商品検知手段は、前記識別情報を読み取るＩＣタグリーダであることを特徴とする請求項４記載の画像表示制御テーブル。
【請求項６】
前記タッチパネルがタッチされ、前記タッチによる圧力点が前記タッチパネル上を移動する場合に、前記タッチによる圧力点の軌跡を検知する軌跡検知手段を更に備え、
前記制御手段は、前記タッチパネルに表示された画像がタッチされた場合に、前記タッチされた画像を前記タッチによる圧力点の軌跡に追従させて移動させることを特徴とする請求項３から５のいずれか１項記載の画像表示制御テーブル。
【請求項７】
前記圧力点の移動速度を検知する移動速度検知手段を更に備え、
前記制御手段は、前記圧力点の移動速度に応じて前記画像の移動距離を計算し、該画像を前記移動距離だけ移動させることを特徴とする請求項６記載の画像表示制御テーブル。
【請求項８】
前記画像が前記表示領域間で移動可能であることを特徴とする請求項６又は７記載の画像表示制御テーブル。
【請求項９】
各表示領域の利用者間のグループ情報を登録するグループ情報登録手段を更に備え、
前記制御手段は、同一のグループに属する利用者の表示領域間で前記画像の移動を許可することを特徴とする請求項６又は７記載の画像表示制御テーブル。
【請求項１０】
前記画像がタッチされた場合に、タッチ回数をカウントするカウント手段を更に備え、
前記制御手段は、前記タッチ回数に基づいて前記画像の表示を制御することを特徴とする請求項３から５のいずれか１項記載の画像表示制御テーブル。
【請求項１１】
画像を表示する画像表示手段に利用者の人数分の表示領域を設けるステップと、
前記表示領域を各利用者に割り当てるステップと、
を備えることを特徴とする表示領域割当方法。
【請求項１２】
画像を表示する画像表示手段に利用者の人数分の表示領域を設ける機能と、
前記表示領域を各利用者に割り当てる機能と、
をコンピュータに実現させることを特徴とする表示領域割当プログラム。
【発明の詳細な説明】
【技術分野】
【０００１】
本発明は画像表示制御テーブルに係り、特に複数の利用者が入力した画像を表示及び操作することができる画像表示制御テーブル、表示領域割当方法及びプログラムに関する。
【背景技術】
【０００２】
近年、利用者が持参したメディアカードやデジタルカメラ等の記憶媒体から写真等の画像データを読み取り、画像を加工して印刷する装置が普及している。
【０００３】
特許文献１には、喫茶店やレストラン等において、利用者が持参した媒体から画像データを読み取り、画像を加工してプリンタに出力する情報端末テーブルが開示されている。特許文献１に開示された情報端末テーブルには、データの読み取りや画像の加工、印刷等の時間のかかる処理でも着座した姿勢で楽に行うことができるという利点がある。
【０００４】
上記特許文献１に係る情報端末テーブルにおいては、１つのテーブルを１グループで利用することで、画像の表示や加工、印刷を楽しむことができる。このような場合には、テーブル上の画像を表示する領域はできるだけ大きく、グループ全員で画像を自由に操作できるほうが都合がよい。
【特許文献１】特開２００２−２３６９７２号公報
【発明の開示】
【発明が解決しようとする課題】
【０００５】
しかしながら、上記特許文献１に開示された情報端末テーブルは、表示部（タッチパネル部）を同席の誰もが操作可能となっているため、利用者が自分専用の画像操作領域を確保できないという問題がある。また、ほかの客と相席になった場合に画像の表示や加工等を行おうとすると、ほかの客に画像を勝手に操作されてしまったり、ほかの客の画像が自分の目の前に表示されてしまうなどの不都合が生じる。
【０００６】
本発明はこのような事情に鑑みてなされたもので、グループで利用する際等にテーブル上の表示領域を最大限に活用することのできる画像表示制御テーブル、表示領域割当方法及びプログラムを提供することを目的とする。
【課題を解決するための手段】
【０００７】
上記目的を達成するために請求項１に係る画像表示制御テーブルは、テーブルの表面に設けられ、画像を表示する画像表示手段と、前記画像表示手段に利用者の人数分の表示領域を設け、前記表示領域を各利用者に割り当てる領域割当手段と、前記表示領域における画像の表示を制御する制御手段と、を備えることを特徴とする。
【０００８】
請求項１に係る画像表示制御テーブルによれば、グループで利用する場合に利用者が自分の操作領域を確保できる。
【０００９】
請求項２に示すように請求項１に係る画像表示制御テーブルにおいて、前記利用者の人数を検知する人数検知手段を更に備え、前記領域割当手段は、前記検知された利用者の人数に基づいて、前記画像表示手段に設ける前記表示領域の数を決めることを特徴とする。
【００１０】
請求項２に係る画像表示制御テーブルによれば、グループで利用する場合に、利用人数に応じて表示領域を調整できるので、テーブル表面の面積を有効に活用できる。
【００１１】
請求項３に示すように請求項１又は２に係る画像表示制御テーブルにおいて、前記画像表示手段がタッチパネルであり、前記タッチパネルに加えられる圧力を検知する圧力検知手段を更に備え、前記制御手段は、前記タッチパネルに圧力が加えられた場合に、前記検知された圧力に基づいて、前記タッチパネルに加えられた圧力が前記利用者によるタッチ操作によるものか否かを判別することを特徴とする。
【００１２】
請求項４に示すように請求項１又は２に係る画像表示制御テーブルにおいて、前記画像表示手段がタッチパネルであり、前記タッチパネル上の圧力の加わっている圧力点の位置を検知する位置検知手段と、前記テーブルに商品が置かれたときに前記商品の位置を検知する商品検知手段とを更に備え、前記制御手段は、前記タッチパネルに圧力が加えられた場合に、前記圧力点の位置と前記商品の位置とに基づいて、前記利用者によるタッチ操作と前記タッチパネル上への商品の設置とを判別することを特徴とする。
【００１３】
請求項５に示すように請求項４に係る画像表示制御テーブルにおいて、前記商品の容器には、前記商品の識別情報が書き込まれたＩＣタグが取り付けられており、前記商品検知手段は、前記識別情報を読み取るＩＣタグリーダであることを特徴とする。
【００１４】
請求項３から５に係る画像表示制御テーブルによれば、利用者の肘や食器等をタッチ操作と誤認するのを防ぐことができる。
【００１５】
請求項６に示すように請求項３から５に係る画像表示制御テーブルにおいて、前記タッチパネルがタッチされ、前記タッチによる圧力点が前記タッチパネル上を移動する場合に、前記タッチによる圧力点の軌跡を検知する軌跡検知手段を更に備え、前記制御手段は、前記タッチパネルに表示された画像がタッチされた場合に、前記タッチされた画像を前記タッチによる圧力点の軌跡に追従させて移動させることを特徴とする。
【００１６】
請求項７に示すように請求項６に係る画像表示制御テーブルにおいて、前記圧力点の移動速度を検知する移動速度検知手段を更に備え、前記制御手段は、前記圧力点の移動速度に応じて前記画像の移動距離を計算し、該画像を前記移動距離だけ移動させることを特徴とする。
【００１７】
請求項８に示すように請求項６又は７に係る画像表示制御テーブルにおいて、前記画像が前記表示領域間で移動可能であることを特徴とする。
【００１８】
請求項９に示すように請求項６又は７に係る画像表示制御テーブルにおいて、各表示領域の利用者間のグループ情報を登録するグループ情報登録手段を更に備え、前記制御手段は、同一のグループに属する利用者の表示領域間で前記画像の移動を許可することを特徴とする。
【００１９】
請求項１０に示すように請求項３から５に係る画像表示制御テーブルにおいて、前記画像がタッチされた場合に、タッチ回数をカウントするカウント手段を更に備え、前記制御手段は、前記タッチ回数に基づいて前記画像の表示を制御することを特徴とする。
【００２０】
請求項１１に係る表示領域割当方法は、画像を表示する画像表示手段に利用者の人数分の表示領域を設けるステップと、前記表示領域を各利用者に割り当てるステップと、を備えることを特徴とする。
【００２１】
請求項１２に係る表示領域割当プログラムは、画像を表示する画像表示手段に利用者の人数分の表示領域を設ける機能と、前記表示領域を各利用者に割り当てる機能と、をコンピュータに実現させることを特徴とする。
【発明の効果】
【００２２】
本発明によれば、グループで画像表示制御テーブルを利用して、画像の表示や操作を楽しむことができるとともに、画像の共有や受け渡しを行うことができる。
【発明を実施するための最良の形態】
【００２３】
以下添付図面に従って本発明に係る画像表示制御テーブル、表示領域割当方法等の好ましい実施の形態について説明する。まず、本発明の画像表示制御テーブルを含む画像表示制御システムについて説明する。
【００２４】
図１は、画像表示制御システムを示すブロック図である。画像表示制御システム１０は、喫茶店やレストラン等の店舗に設置されるもので、画像表示制御テーブル１２と、プリンタ１４と、店員用の入出力装置や店内カメラ、ＰＯＳレジ等を含む店内システム１６と、システム制御や画像処理に係るプログラムやテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００２５】
図２は、本発明の一実施形態に係る画像表示制御テーブルを示す斜視図である。図２に示すように、本実施形態の画像表示制御テーブル１２は円卓であり、表面に画像を表示する表示部３０が設けられている。表示部３０は、例えば、有機ＥＬ（electro-luminescence）や液晶ディスプレイ（ＬＣＤ）、電子ペーパー等であり、タッチパネルとなっている。なお、タッチパネル３０における指等によるタッチ操作の検出方法は、アナログ容量結合方式や超音波方式、抵抗膜方式、赤外線方式等を用いることができる。
【００２６】
図２に示すように、表示部３０の図における下面には入出力部３２が取り付けられている。
【００２７】
図３は、入出力部３２を拡大して示す斜視図である。入出力部３２は、記録メディアに画像データを入出力するメディアリーダ／ライタ３４と、音声入出力用のジャック３６とを備えている。メディアリーダ／ライタ３４は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図３においては、メディアリーダ／ライタ３４は１つの記録メディア挿入口として簡略化されている。
【００２８】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００２９】
図４は、本発明の一実施形態に係る画像表示制御テーブルの構成を示すブロック図である。同図において、中央処理装置（ＣＰＵ）４０は、画像表示制御テーブル１２を統括制御する制御部である。ＣＰＵ４０は、タッチパネル３０等からのタッチ操作入力に基づいて画像表示制御テーブル１２の動作を制御する。なお、ＣＰＵ４０はサーバ１８が兼ねていてもよい。
【００３０】
メモリ４２には、ＣＰＵ４０が処理するプログラム及び制御に必要な各種データ等が格納されるＲＯＭや、入出力部３２を介して入力した画像データが格納される記憶領域及びＣＰＵ４０が各種の演算処理等を行う作業用領域となるＳＤＲＡＭ（Synchronous Dynamic RAM）等が含まれている。
【００３１】
通信Ｉ／Ｆ４４は、ＬＡＮに接続するための機器で、所定のプロトコルにしたがって各種データの送受信を行う。
【００３２】
ＩＤカードリーダ４６は、利用者のＩＤカードを読み込むための装置である。本実施形態の画像表示制御システム１０の利用者にはＩＤカードが交付され、このＩＤカードを画像表示制御テーブル１２に設置されたＩＤカードリーダ４６に通すことでシステムの利用が可能となる。
【００３３】
ＩＣタグリーダ４８は、画像表示制御テーブル１２の表面に商品が置かれた際に、商品の容器（食器）等に付されたＩＣタグを読み取るためのアンテナである。このアンテナは非接触電力伝送技術によりＩＣタグに電力を供給し通信を行うものであり、その通信距離及び配置はテーブル１２の大きさ等に応じて、商品が画像表示制御テーブル１２の表面のどこに置かれてもＩＣタグを認識できるように調整されている。
【００３４】
図４に示すように、ＣＰＵ４０は、タッチパネル３０等からの入力信号に基づいて演算処理を行う演算部５０と、領域割当部５２と、タッチパネル３０に加わる圧力の強さを検知する圧力検知部５４と、圧力の加えられた点（圧力点）の位置（座標）を検知する圧力点位置検知部５６と、圧力点の軌跡を検知する軌跡検知部５８と、圧力点の移動速度を検知する移動速度検知部６０と、タッチ回数検知部６２とを含んでいる。
【００３５】
ＣＰＵ４０は、タッチパネル３０に圧力が加えられた場合に、圧力検知部５４で検知された圧力に基づいて、加えられた圧力がタッチ操作によるものであるか、物や手が置かれただけであるかを判別する。
【００３６】
領域割当部５２は、ＩＤカードリーダ４６で読み取られた利用者の人数に応じて、タッチパネル３０上に利用者の人数分の領域（専有領域）７０を設け、この専有領域７０を各利用者に割り当てる。
【００３７】
ここで、専有領域とは、利用者が自分の画像を表示操作するための領域である。なお、領域の割り当て時に各利用者の専有領域のほかに、テーブル１２の利用者全員が利用可能な共有領域を設けてもよい。
【００３８】
タッチ回数検知部６２は、タッチパネル３０上の同じ位置が所定の時間間隔以内の間隔で続けてタッチされた場合にタッチ回数をカウントする。利用者がタッチパネル３０を所定の回数タッチすると、タッチ回数検知部６２によってカウントされたタッチ回数に応じて、タッチパネル３０の画像の表示が変化する。この画像の変化の態様としては、例えば、画像のプロパティ表示やメニュー表示、裏側表示等を挙げることができる。ここで、裏側表示とは、画像の表示されている領域に、例えば、店舗のロゴやキャラクタ、模様等が表示され、あたかも裏返されたような表示になることである。また、裏側表示においては、例えば、地図情報やカルタやメンコ等の図柄が表示されてプリンタ１４で両面印刷が可能となっていてもよい。
【００３９】
以下、本実施形態に係る画像表示制御テーブル１２の利用方法について説明する。まず、利用者が来店して画像表示制御テーブル１２のＩＤカードリーダ４６に自分のＩＤカードを挿入すると、利用者に専有領域が割り当てられ、画像表示制御テーブル１２の利用が開始される。
【００４０】
ここで、利用者に専有領域を割り当てる方法について説明する。図５は、利用者に専有領域を割り当てる方法を示すフローチャートである。
【００４１】
まず、利用者が画像表示制御テーブル１２に着席して、ＩＤカードリーダ４６に自分のＩＤカードを挿入する。すると、画像表示制御テーブル１２で利用者のＩＤが認識され（ステップＳ１０）、演算部５０によりこの画像表示制御テーブル１２を利用する利用者の人数が計算される（ステップＳ１２）。そして、タッチパネル３０上に人数分の専有領域７０が設けられ、この専有領域７０が各利用者に割り当てられる（ステップＳ１４）。ここで、各専有領域７０はその面積が均等になるように設けられる。
【００４２】
図６は、画像表示制御テーブル１２を２人の利用者に割り当てた例を示す平面図である。図６に示す画像表示制御テーブル１２には、タッチパネル３０に２つの専有領域Ａ及びＢが設けられており、この専有領域Ａ及びＢは各利用者（ＡさんとＢさん）に割り当てられている。専有領域Ａ及びＢはそれぞれ半円状であり、各専有領域の面積は均等になっている。
【００４３】
図７は、画像表示制御テーブル１２を３人の利用者に割り当てた例を示す平面図である。図７に示す画像表示制御テーブル１２には、タッチパネル３０に３つの表示領域Ａ、Ｂ及びＣが設けられており、それぞれＡさん、Ｂさん及びＣさんに割り当てられている。専有領域Ａ、Ｂ及びＣはそれぞれ中心角が約１２０°の扇形状であり、各専有領域の面積は均等になっている。
【００４４】
図８は、画像表示制御テーブル１２を４人の利用者に割り当てた例を示す平面図である。図８に示す画像表示制御テーブル１２には、タッチパネル３０に扇形状の２つの表示領域Ａ、Ｂ、Ｃ及びＤが設けられており、それぞれＡさん、Ｂさん、Ｃさん及びＤさんに割り当てられている。専有領域Ａ、Ｂ、Ｃ及びＤはそれぞれ中心角が約９０°の扇形状であり、各専有領域の面積は均等になっている。
【００４５】
なお、図６〜図８においては、専有領域のほかに画像表示制御テーブル１２の中央に共有領域Ｘが設けられている。
【００４６】
ここで、画像表示制御テーブル１２を利用しているときに、例えば、待ち合わせの相手がきた場合等、利用中に利用者の人数が増減した場合について説明する。図９は、画像表示制御テーブルの利用中に利用者の人数が増えた場合の領域の再割り当て方法を示すフローチャートである。
【００４７】
まず、新規の利用者が画像表示制御テーブル１２のＩＤカードリーダ４６に自分のＩＤカードを挿入する。すると、画像表示制御テーブル１２でこの新規の利用者のＩＤが認識され（ステップＳ１６）、演算部５０によりこの画像表示制御テーブル１２を利用する利用者の人数が再計算される（ステップＳ１８）。そして、タッチパネル３０上に専有領域７０が追加され、この専有領域７０が新規の利用者に再割り当てされる（ステップＳ２０）。
【００４８】
例えば、画像表示制御テーブル１２をＡさんとＢさんの２人で利用しているときに（図６参照）Ｃさんが来店したとすると、図７に示すように専有領域Ａ及びＢが縮小されて、Ｃさんの専有領域Ｃが新たに設けられる。
【００４９】
逆に、画像表示制御テーブル１２の利用しているときに利用者が減った（帰った）場合について説明する。図１０は、画像表示制御テーブルの利用中に利用者の人数が減った場合の領域の再割り当て方法を示すフローチャートである。
【００５０】
まず、帰る利用者が自分のＩＤカードを抜き取ると、ＣＰＵ４０により帰った利用者のＩＤが認識され（ステップＳ２２）、画像表示制御テーブル１２の利用者の人数が再計算されて、演算部５０によりこの画像表示制御テーブル１２を利用する利用者の人数が再計算される（ステップＳ２４）。そして、帰った利用者の専有領域７０が削除され、この専有領域７０が各残った利用者に再割り当てされる（ステップＳ２６）。
【００５１】
例えば、画像表示制御テーブル１２をＡさん、Ｂさん、Ｃさんの３人で利用しているときに（図７参照）Ｃさんが帰ってＡさんとＢさんが残ったとすると、図６に示すように専有領域Ｃが消去されて、各専有領域の面積が均等になるように専有領域Ａ及びＢが拡大される。
【００５２】
次に、画像表示制御テーブル１２の利用方法に戻ると、上記の専有領域の割り当て後、利用者がメディアリーダ／ライタ３４に記録メディアを挿入すると、記録メディアに記録されている画像データが読み取られ、専有領域に読み取られた画像データが一覧表示される。
【００５３】
本実施形態においては、入出力部３２は画像表示制御テーブル１２に１つ取り付けられている。各利用者の記録メディアから画像を読み取るときには、まず、利用者の割り当てられた専有領域を画像読み取りモードに切り換える。すると、入出力部３２は画像読み取りモードの専有領域のみからアクセス可能となる。次に、記録メディアをメディアリーダ／ライタ３４に挿入して画像を読み取る。上記の工程を繰り返すことにより、各専有領域に各利用者の画像を読み取らせることができる。
【００５４】
なお、入出力部３２を複数設けることとしてもよい。この場合、例えば、入出力部３２を画像表示制御テーブル１２に所定の数（例えば、画像表示制御テーブル１２の定員分）設けておき、各専有領域の利用者に最寄りの入出力部３２が割り当てられるようにしてもよい。
【００５５】
そして、各利用者は自分の専有領域（タッチパネル３０）を操作することにより、各々の専有領域内で画像の移動、拡大／縮小、プリント指示、セーブ／消去又は動画再生等を行うことができる。また、音声付の画像の場合にはジャック３６（図３参照）を利用して音声を聞くこともできる。また、各利用者は、タッチパネル３０を操作して、画像への書き込み、画像の色合い等の調整、画像とフレームやテンプレート等との合成、シールやインデックスプリントの作成、ジャック３６からの音声入力等、さまざまな加工を施すことができる。
【００５６】
また、例えば、店内（例えば、画像表示テーブル１２上）にカメラ（定点カメラ）等を設置して、このカメラによって撮影された画像についても上述のような操作を行えるようにしてもよい。
【００５７】
図１に示すプリンタ１４には通常の印刷用紙のほかラメ加工やシール加工等が施された用紙が搭載されており、各利用者は所望の用紙を選択して印刷することができる。なお、プリンタ１４は、テーブル１２ごとに１台ずつ設置されていてもよいし、店舗に１台だけであってもよい。また、各利用者は操作の終わった画像データを入出力部３２で記録メディアやデジタルカメラ等に書き込んで持ち帰ることもできる。
【００５８】
なお、本実施形態の画像表示制御テーブル１２においては、各専有領域間で共有許可の設定を行うことにより、ほかの専有領域との間で画像のやりとりを行うことができる。また、共有許可を与えていないもの同士であっても、共有領域Ｘを経由して画像の移動を行うことで画像データのやりとりを行うことができる。
【００５９】
以下、上記の共有設定を行う共有設定スイッチの例について説明する。図１１は、共有設定スイッチの例を示す平面図である。共有設定スイッチは各専有領域（タッチパネル）に表示されるスイッチである。なお、図１１の共有設定スイッチ９０は、図８におけるＣさんの共有設定スイッチとして説明する。
【００６０】
共有設定スイッチ９０はタッチパネル３０と略相似形をなしている。共有設定スイッチ９０の図における下側のスイッチ９０Ｃは専有領域Ｃの表示のＯＮ／ＯＦＦを入力するスイッチであり、例えば、利用者が一時的に席を離れるときに、自分の専有領域の表示をＯＦＦにするのに使用される。
【００６１】
ほかの３つのスイッチ９０Ｄ、９０Ａ及び９０Ｂは専有領域Ｃに表示されている画像をそれぞれ専有領域Ｄ、Ａ及びＢに移動又はコピーする許可（共有許可）を設定するスイッチである。例えば、ＣさんがＡさんに共有許可を与える場合には、制御スイッチ９０Ａをタップする。すると、制御スイッチ９０Ａの色が変わって、ＣさんがＡさんに共有許可を与えたことが表示され、専有領域Ｃの画像は専有領域Ａに移動可能となる。さらに、ＡさんもＣさんに対して共有許可を与えた場合（ＣさんとＡさんが相互に共有許可を与えた場合）、専有領域ＡとＣとの間で画像のやり取りが可能となる。
【００６２】
次に、タッチ操作とそれ以外の物等がテーブル１２上に置かれることによりタッチパネル３０に加えられる圧力を判別する方法について説明する。図１２は、タッチ操作の検出方法を示すフローチャートである。
【００６３】
まず、圧力検知部５４によりタッチパネル３０に圧力が加えられたことが検知されると（ステップＳ３０）、圧力の強度や圧力点の位置が算出される（ステップＳ３２）。
【００６４】
次に、ステップＳ３２において算出された圧力の強度や圧力点の位置（圧力の加えられている範囲）等に基づいて、ＣＰＵ４０により検知された圧力が利用者によるタッチ操作かどうか判別される（ステップＳ３４）。
【００６５】
ステップＳ３４においては、例えば、圧力が指のタッチによる場合に比べて強い場合（例えば、利用者がテーブル１２に寄りかかっている場合）や、圧力の加えられている部分の面積が指のタッチによる場合に比べて広い場合（例えば、利用者がテーブル１２に肘をついている場合等）には、タッチ操作ではないと判別される。
【００６６】
また、商品（食器等）が置かれている場合には、ＩＣタグリーダ４８で食器等に付されているＩＣタグが読み取られることにより、タッチ操作ではないと判別される。
【００６７】
そして、ステップＳ３４においてタッチ操作であると判別された場合に、タッチ操作が実行される（ステップＳ３６）。
【００６８】
次に、タッチパネル３０に表示されている画像を移動させる方法について説明する。図１３は、タッチパネル３０に表示されている画像を移動させる方法を示すフローチャートである。
【００６９】
まず、ステップＳ４０において利用者が画像にタッチすると、図１２に示したように利用者によるタッチ操作であることが検出される。
【００７０】
次に、タッチによる圧力点が移動した場合に、この圧力点の移動した経路（軌跡）が検出され（ステップＳ４２）、圧力点の移動速度が算出される（ステップＳ４４）。そして、圧力点の軌跡及び移動速度に基づいて、画像の移動する方向及び移動距離（移動先の位置）が計算される（ステップＳ４６）。
【００７１】
ここで、移動先位置の計算方法について説明する。図１４は、画像の移動先の位置を計算する方法を示すフローチャートである。
【００７２】
まず、圧力点の軌跡及び移動速度に基づいて、画像の移動する方向及び移動距離（移動先の位置）が計算される（ステップＳ５０）。ステップＳ５０において、画像の移動する方向は上記のステップＳ４２で検出された圧力点の軌跡の始点と終点を結ぶ直線方向である。また、画像の移動距離は、例えば、圧力点の軌跡の長さ、又は上記のステップＳ４４で算出された圧力点の移動速度に比例して長くなる。これにより、画像の移動先の位置が算出される。
【００７３】
次に、ステップＳ５２において移動先の位置がもともと画像のあった専有領域内である場合（移動距離が他の専有領域まで届かない場合）、画像の移動先の位置が確定されて終了する。この場合、自分の専有領域内で画像の移動が行われる。
【００７４】
一方、ステップＳ５２において移動先の位置がほかの利用者の専有領域内である場合、移動先位置が共有領域、又は移動先の専有領域の利用者が共有設定をした相手（同じグループ）であれば（ステップＳ５４）、画像の移動先の位置が確定されて終了する。これにより、共有領域、又は他の専有領域に自分の画像を移動させることができる。
【００７５】
一方、ステップＳ５４において移動先位置が共有領域や、移動先の専有領域の利用者が同じグループでない場合には、画像が自分の専有領域内に留まるように移動距離が調整（短縮）される（ステップＳ５６）。これにより、共有設定を行っていない相手の専有領域に自分の画像を誤って移動させることがない。
【００７６】
図１３のフローチャートの説明に戻ると、次いでステップＳ４８に進み、ステップＳ４６で計算された画像の移動先の位置に画像が移動される。
【００７７】
なお、上述の実施形態においては、表示部３０全面をタッチパネルとしたが、本発明はこれに限定されるものではなく、例えば、各利用者が自分の専有領域を操作するためのマウスやタッチパッド等のポインティングデバイスを利用者の人数分画像表示制御テーブル１２に接続して、各利用者が専有領域内の画像を操作することとしてもよい。
【００７８】
また、上述の実施形態においては、ＩＤカードにより利用者の人数を検知することとしたが、例えば、座席やテーブル１２等に利用者が着席を検知するセンサ等を用いて利用者の人数を検知することとしてもよいし、店員等によるレジ入力や利用者による操作入力等により利用者の人数を検知することとしてもよい。
【００７９】
なお、上述の実施形態においては、共有の設定を行うことにより各専有領域の間で画像の移動を行えるようにしたが、例えば、店員等によるレジ入力や利用者による操作入力等によりどの専有領域の利用者がグループであるかの情報（グループ情報）を登録し、同一グループに属する利用者の専有領域の間で画像の移動が行えるようにしてもよい。
【００８０】
また、図１等に示す画像表示制御テーブル１２は円卓であるが、本発明はこれに限定されるものではなく、四角いテーブルやカウンタ席であってもよい。なお、この場合、専有領域及び共有領域の形状は、テーブルの形状や席数に応じて異なった形状となる。
【図面の簡単な説明】
【００８１】
【図１】画像表示制御システムを示すブロック図
【図２】本発明の一実施形態に係る画像表示制御テーブルを示す斜視図
【図３】入出力部３２を拡大して示す斜視図
【図４】本発明の一実施形態に係る画像表示制御テーブルの構成を示すブロック図
【図５】利用者に専有領域を割り当てる方法を示すフローチャート
【図６】画像表示制御テーブル１２を２人の利用者に割り当てた例を示す平面図
【図７】画像表示制御テーブル１２を３人の利用者に割り当てた例を示す平面図
【図８】画像表示制御テーブル１２を４人の利用者に割り当てた例を示す平面図
【図９】画像表示制御テーブルの利用中に利用者の人数が増えた場合の領域の再割り当て方法を示すフローチャート
【図１０】画像表示制御テーブルの利用中に利用者の人数が減った場合の領域の再割り当て方法を示すフローチャート
【図１１】共有設定スイッチの例を示す平面図
【図１２】タッチ操作の検出方法を示すフローチャート
【図１３】タッチパネル３０に表示されている画像を移動させる方法を示すフローチャート
【図１４】画像の移動先の位置を計算する方法を示すフローチャート
【符号の説明】
【００８２】
１０…画像表示制御システム、１２…画像表示制御テーブル、１４…プリンタ、１６…店内システム、１８…サーバ、３０…表示部、３２…入出力部、４０…ＣＰＵ、４６…ＩＤカードリーダ、４８…ＩＣタグリーダ、９０…制御スイッチ
【図１】
2005346354.tif 000003
【図２】
2005346354.tif 000004
【図３】
2005346354.tif 000005
【図４】
2005346354.tif 000006
【図５】
2005346354.tif 000007
【図６】
2005346354.tif 000008
【図７】
2005346354.tif 000009
【図８】
2005346354.tif 000010
【図９】
2005346354.tif 000011
【図１０】
2005346354.tif 000012
【図１１】
2005346354.tif 000013
【図１２】
2005346354.tif 000014
【図１３】
2005346354.tif 000015
【図１４】
2005346354.tif 000016